【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
移動体通信システムにおいてユーザ機器を動作する方法であって、
チャネルを介して１つ以上のデータブロックを受信するように前記ユーザ機器の受信機を動作する工程と、
ユーザ機器過負荷状態を検出する工程と、
前記検出されたユーザ機器過負荷状態に応答して、前記チャネルの実際の品質よりも低いチャネル品質を表すチャネル品質指標（ＣＱＩ）値をサービング基地局へ報告する工程と、
前記報告されるＣＱＩ値に整合するように前記ユーザ機器を動作する工程と
を有することを特徴とする方法。
【請求項２】
前記報告されるＣＱＩ値に対応する品質を有するチャネルを用いた動作に整合するレートで否定応答（ＮＡＫ）を前記サービング基地局へ送信する工程であって、１つ以上の受け入れ可能なデータブロックを受信したことに応答して１つ以上のＮＡＫを送信することを含む工程をさらに有することを特徴とする請求項１に記載の方法。
【請求項３】
前記報告されるＣＱＩ値に対応する品質を有するチャネルを用いた動作に整合するレートでＮＡＫを前記サービング基地局へ送信する前記工程は、前記報告されるＣＱＩ値に対応する前記品質を有する前記チャネルに対応するＮＡＫの分布を模倣するように、時間に亘って前記ＮＡＫを分布するように実行されることを特徴とする請求項２に記載の方法。
【請求項４】
送信されるＮＡＫの時間に亘る前記分布はランダムまたは擬似ランダムな分布であることを特徴とする請求項３に記載の方法。
【請求項５】
前記報告されるＣＱＩ値は、前記ユーザ機器過負荷状態を緩和又は回避するとともに、できるかぎり多くの機能を前記ユーザ機器に維持させるＣＱＩ値が複数の候補ＣＱＩ値のうちどれであるかを判定することによって選択されることを特徴とする請求項１に記載の方法。
【請求項６】
前記ユーザ機器過負荷状態は過熱状態であることを特徴とする請求項１に記載の方法。
【請求項７】
前記ユーザ機器過負荷状態はユーザ機器処理能力における制限であることを特徴とする請求項１に記載の方法。
【請求項８】
ユーザ機器処理能力における前記制限は受信バッファのボトルネックであることを特徴とする請求項７に記載の方法。
【請求項９】
ユーザ機器処理能力における前記制限は送信バッファのボトルネックであることを特徴とする請求項７に記載の方法。
【請求項１０】
ユーザ機器処理能力における前記制限は信号処理のボトルネックであることを特徴とする請求項７に記載の方法。
【請求項１１】
ユーザ機器処理能力における前記制限は瞬時下りリンク・スループットレートで受信データブロックを処理できないことであることを特徴とする請求項７に記載の方法。
【請求項１２】
前記ユーザ機器過負荷状態は、前記ユーザ機器が現在のように動作し続けたならば実際の過負荷状態が起こるだろうということの警告であることを特徴とする請求項１に記載の方法。
【請求項１３】
移動体通信システムにおいてユーザ機器を動作する方法であって、
チャネルを介して１つ以上のデータブロックを受信するように前記ユーザ機器の受信機を動作する工程と、
ユーザ機器過負荷状態を検出する工程と、
前記検出されたユーザ機器過負荷状態に応答して、下りリンク・データスループットレートを低減することをサービング基地局へ求める要求である信号を前記サービング基地局へ送信する工程と
を有し、
前記信号は、下りリンク・データスループットレートの低減が要求されているかどうかを示すための第１フィールドと、前記下りリンク・データスループットレートの低減が要求されている場合に前記サービング基地局がどのように応答すべきかを示す第２フィールドとを備えることを特徴とする方法。
【請求項１４】
前記下りリンク・データスループットレートの低減が要求されていない場合に前記第２フィールドはチャネル品質指標（ＣＱＩ）フィールドであることを特徴とする請求項１３に記載の方法。
【請求項１５】
前記第２フィールドは前記下りリンク・データスループットレートがどのくらい低減されるべきかを示すことを特徴とする請求項１３に記載の方法。
【請求項１６】
前記第２フィールドは前記ユーザ機器が扱える最大データレート値を示すことを特徴とする請求項１３に記載の方法。
【請求項１７】
移動体通信システムにおいてユーザ機器を動作する装置であって、
チャネルを介して１つ以上のデータブロックを受信するように前記ユーザ機器の受信機を動作するように構成されたロジックと、
ユーザ機器過負荷状態を検出するように構成されたロジックと、
前記検出されたユーザ機器過負荷状態に応答して、前記チャネルの実際の品質よりも低いチャネル品質を表すチャネル品質指標ＣＱＩ値をサービング基地局へ報告するように構成されたロジックと、
前記報告されるＣＱＩ値に整合するように前記ユーザ機器を動作するように構成されたロジックと
を有することを特徴とする装置。
【請求項１８】
前記報告されるＣＱＩ値に対応する品質を有するチャネルを用いた動作に整合するレートで否定応答（ＮＡＫ）を前記サービング基地局へ送信するように構成されたロジックであって、１つ以上の受け入れ可能なデータブロックを受信したことに応答して１つ以上のＮＡＫを送信することを含むように構成されたロジックをさらに有することを特徴とする請求項１７に記載の装置。
【請求項１９】
前記報告されるＣＱＩ値に対応する品質を有するチャネルを用いた動作に整合するレートでＮＡＫを前記サービング基地局へ送信するように構成された前記ロジックは、前記報告されるＣＱＩ値に対応する前記品質を有する前記チャネルに対応するＮＡＫの分布を模倣するように、時間に亘って前記ＮＡＫを分布するように動作することを特徴とする請求項１８に記載の装置。
【請求項２０】
送信されるＮＡＫの時間に亘る前記分布はランダムまたは擬似ランダムな分布であることを特徴とする請求項１９に記載の装置。
【請求項２１】
前記検出されたユーザ機器過負荷状態に応答して前記ＣＱＩ値をサービング基地局へ報告するように構成された前記ロジックは、前記ユーザ機器過負荷状態を緩和又は回避するとともに、できるかぎり多くの機能を前記ユーザ機器に維持させるＣＱＩ値が複数の候補ＣＱＩ値のうちどれであるかを判定することによって前記報告されるＣＱＩ値を選択することを特徴とする請求項１７に記載の装置。
【請求項２２】
前記ユーザ機器過負荷状態は過熱状態であることを特徴とする請求項１７に記載の装置。
【請求項２３】
前記ユーザ機器過負荷状態はユーザ機器処理能力における制限であることを特徴とする請求項１７に記載の装置。
【請求項２４】
ユーザ機器処理能力における前記制限は受信バッファのボトルネックであることを特徴とする請求項２３に記載の装置。
【請求項２５】
ユーザ機器処理能力における前記制限は送信バッファのボトルネックであることを特徴とする請求項２３に記載の装置。
【請求項２６】
ユーザ機器処理能力における前記制限は信号処理のボトルネックであることを特徴とする請求項２３に記載の装置。
【請求項２７】
ユーザ機器処理能力における前記制限は瞬時下りリンク・スループットレートで受信データブロックを処理できないことであることを特徴とする請求項２３に記載の装置。
【請求項２８】
前記ユーザ機器過負荷状態は、前記ユーザ機器が現在のように動作し続けたならば実際の過負荷状態が起こるだろうということの警告であることを特徴とする請求項１７に記載の装置。
【請求項２９】
移動体通信システムにおいてユーザ機器を動作する装置であって、
チャネルを介して１つ以上のデータブロックを受信するように前記ユーザ機器の受信機を動作するように構成されたロジックと、
ユーザ機器過負荷状態を検出するように構成されたロジックと、
前記検出されたユーザ機器過負荷状態に応答して、下りリンク・データスループットレートを低減することをサービング基地局へ求める要求である信号を前記サービング基地局へ送信するように構成されたロジックと
を有し、
前記信号は、下りリンク・データスループットレートの低減が要求されているかどうかを示すための第１フィールドと、前記下りリンク・データスループットレートの低減が要求されている場合に前記サービング基地局がどのように応答すべきかを示す第２フィールドとを備えることを特徴とする装置。
【請求項３０】
前記下りリンク・データスループットレートの低減が要求されていない場合に前記第２フィールドはチャネル品質指標（ＣＱＩ）フィールドであることを特徴とする請求項２９に記載の装置。
【請求項３１】
前記第２フィールドは前記下りリンク・データスループットレートがどのくらい低減されるべきかを示すことを特徴とする請求項２９に記載の装置。
【請求項３２】
前記第２フィールドは前記ユーザ機器が扱える最大データレート値を示すことを特徴とする請求項２９に記載の装置。